(57)【要約】【課題】宅配物が入れられた後、宅配物が受け取られるまでの間、該当する宅配ボックスに宅配物が入っているとの着荷報知ができるが配達先がどこであるかが判らないようにして防犯性能を高める。【解決手段】表示部７に宅配ボックス１の使用中表示がなされている状態で、部屋番号入力手段４により該当する宅配ボックス１の配達時に入力された部屋番号と一致する部屋番号が入力された場合に表示部７における表示を着荷表示から該当する宅配物の配達先の部屋番号表示に切り換えて表示すると共に表示部７に部屋番号が表示された時に暗証番号入力手段５により該当する部屋番号の利用者を特定する暗証番号が入力された時に施錠手段３を開とするように制御する制御部９を設ける。【選択図】　　　　図１
2004057404.tif 000002
【特許請求の範囲】
【請求項１】
宅配ボックスに開閉自在に設けた扉を施錠する施錠手段と、宅配ボックスを利用する個々の利用者の部屋番号を入力する部屋番号入力手段と、宅配ボックスを利用する個々の利用者を特定するための暗証番号を入力するための暗証番号入力手段と、宅配ボックス内に宅配物を入れて扉を閉じた後に部屋番号を入力することで伝票に捺印するための捺印装置とを備え、宅配物の配達先の部屋番号を部屋番号入力手段により入力し且つ施錠手段を施錠し且つ捺印装置で捺印するという一連の宅配物の配達操作が完了した時点で宅配物が当該宅配ボックスに着荷していることを表示するための着荷表示がされる表示部を有し、表示部に着荷表示がなされている状態で、部屋番号入力手段により該当する宅配ボックスの配達時に入力された部屋番号と一致する部屋番号が入力された場合に表示部における表示を着荷表示から該当する宅配物の配達先の部屋番号表示に切り換えて表示すると共に、表示部が部屋番号に切り換え表示された状態で、暗証番号入力手段により該当する部屋番号の利用者を特定する暗証番号が入力された時に施錠手段を開とするように制御する制御部を設けて成ることを特徴とする宅配ボックス着荷報知・解錠システム。
【請求項２】
宅配ボックスを設置した集合住宅の共同玄関をオートロックドアとし、部屋番号に対応した個人認識確定情報を入力した際にオートロックドアを解錠するように設定し、オートロックドアの解錠のために入力された個人認識確定情報を宅配ボックスに送信するための送信部を設け、送信部から送信された個人認識確定情報を受信する受信部を宅配ボックスに設け、受信部で個人認識確定情報を受信した際に、該個人認識確定情報で特定される部屋番号と宅配ボックスの配達時に入力された部屋番号と一致すると表示部における表示を着荷表示から該当する宅配物の配達先の部屋番号表示に切り換えて表示するように制御する制御部を設けて成ることを特徴とする請求項１記載の宅配ボックス着荷報知・解錠システム。
【発明の詳細な説明】
【０００１】
【発明の属する技術分野】
本発明は、マンションのような集合住宅で宅配ボックスを共同で使用するものにおける宅配ボックス着荷報知・解錠システムに関するものである。
【０００２】
【従来の技術】
従来からマンションのような集合住宅において集合住宅の各部屋（各住戸）が共同で利用する複数の宅配ボックス１が図７（ａ）に示すように設置されている。この宅配ボックス１には開閉自在に扉２が設けてあり、更に、この扉２を施錠する施錠手段３と、宅配ボックス１を利用する個々の利用者の部屋番号を入力する部屋番号入力手段と、宅配ボックス１を利用する個々の利用者を特定するための暗証番号を入力するための暗証番号入力手段と、宅配ボックス１内に宅配物を入れて扉２を閉じた後に部屋番号を入力することで伝票に捺印するための捺印装置６とを備え、更に、宅配物の配達先の部屋番号を部屋番号入力手段により入力し且つ施錠手段で施錠し且つ捺印装置６で捺印するという一連の宅配物の配達操作が完了した時点で宅配物の配達先の部屋番号が表示される表示部７を有している。
【０００３】
具体的には宅配ボックス１に操作パネル１３が設けてあり、この操作パネル１３に１〜９、０の数字のキーを備えた操作キー１４が設けてあり、この操作キー１４を操作して部屋番号や暗証番号を入力するようになっており、したがって、操作キー１４が部屋番号入力手段と、暗証番号入力手段を構成している。また、操作パネル１３には「配達」と標記された配達釦１５と、「受取」と標記された受取釦１６とが設けてあり、更に操作パネル１３には宅配物の配達先の部屋番号が表示される表示部７が設けてある。また、宅配ボックス１には上記操作パネル１３とは別の箇所に捺印装置６が設けてある。
【０００４】
そして、宅配物の配達者はまず図７（ａ）のように、空の宅配ボックス１（つまり、表示部７に部屋番号の表示がしてなくて施錠手段３により施錠してない宅配ボックス１）に宅配物を入れ、配達釦１５を押し、操作キー１４を操作して配達先の部屋番号を入力し、次に、図７（ｂ）のように施錠手段３である施錠セット釦をスライド操作して扉２を閉じることで施錠し、次に、図７（ｃ）のように捺印装置６に伝票を入れて捺印を行うことで、宅配ボックス１への一連の宅配物の配達操作が完了する。このようにして宅配ボックス１への一連の宅配物の配達操作が完了した後、配達者は配達先の郵便受けに図７（ｄ）に示すような不在配達票１９を投入する。
【０００５】
そして、上記一連の宅配物の配達操作において、図７（ａ）の段階で配達者が配達先の部屋番号を入力すると操作パネル１３に設けた表示部７に配達先の部屋番号が表示され、また、捺印装置６に設けた捺印用確認表示部１８にも部屋番号が表示される。ここで、捺印装置６に設けた捺印用確認表示部１８に部屋番号が表示されることで、配達者が捺印装置６で伝票に捺印する際に配達先の部屋番号を再確認して捺印をすることができ、捺印が終了すると捺印装置６に設けた捺印用確認表示部１８の部屋番号の表示が消える。一方、操作パネル１３に設けた表示部７に表示された配達先の部屋番号は消えることなく表示が継続されている。
【０００６】
宅配物を受け取る場合には、郵便受けに投入してある不在配達票１９によって宅配物が着荷したことを知り、図８（ａ）のように自分の部屋番号が表示してある（例えば部屋番号が２０４号室の場合は２０４と部屋番号が表示してある）宅配ボックス１を探し、自分の部屋番号が表示された宅配ボックス１があると、該当する宅配ボックス１の操作パネル１３の受取釦１６を押し、操作キー１４を操作して該当する自分の暗証番号（つまり配達先の部屋番号の利用者を特定するための暗証番号）を入力することで、施錠手段３による施錠を解錠し、該当する宅配ボックス１内に入れてある宅配物を受け取ることができるものである。ここで、暗証番号を入力して施錠手段３が解錠されると、操作パネル１３の表示部７に表示された配達先の部屋番号が消え、宅配ボックス１が空の待機状態（つまり宅配ボックス１内に新たに宅配物を入れることができる状態）となる。
【０００７】
ところが、上記のような従来例にあっては、宅配ボックス１内に宅配物が入れられている状態では暗証番号を入力して施錠手段３が解錠して宅配物を受け取るまでは配達先の部屋番号が操作パネル１３の表示部７に表示され続けることになり、他人が表示されている部屋番号の住人が留守である可能性が高いことを容易に認識できるという問題があり、防犯上好ましくなかった。
【０００８】
【発明が解決しようとする課題】
本発明は上記の点に鑑みてなされたものであり、宅配物が入れられた後、宅配物が受け取られるまでの間、該当する宅配ボックスに宅配物が入っているとの着荷報知はできるが配達先がどこであるかが判らないようにして防犯性能を高めることができると共に、宅配物を受け取る際には配達先を確実に確認して間違いなく受け取ることができる宅配ボックス着荷報知・解錠システムを提供することを課題とするものである。
【０００９】
【課題を解決するための手段】
上記課題を解決するために本発明に係る宅配ボックス着荷報知・解錠システムは、宅配ボックス１に開閉自在に設けた扉２を施錠する施錠手段３と、宅配ボックス１を利用する個々の利用者の部屋番号を入力する部屋番号入力手段４と、宅配ボックス１を利用する個々の利用者を特定するための暗証番号を入力するための暗証番号入力手段５と、宅配ボックス１内に宅配物を入れて扉２を閉じた後に部屋番号を入力することで伝票に捺印するための捺印装置６とを備え、宅配物の配達先の部屋番号を部屋番号入力手段４により入力し且つ施錠手段３を施錠し且つ捺印装置６で捺印するという一連の宅配物の配達操作が完了した時点で宅配物が当該宅配ボックス１に着荷していることを表示するための着荷表示がされる表示部７を有し、表示部７に着荷表示がなされている状態で、部屋番号入力手段４により該当する宅配ボックス１の配達時に入力された部屋番号と一致する部屋番号が入力された場合に表示部７における表示を着荷表示から該当する宅配物の配達先の部屋番号表示に切り換えて表示すると共に、表示部７が部屋番号に切り換え表示された状態で、暗証番号入力手段５により該当する部屋番号の利用者を特定する暗証番号が入力された時に施錠手段３を開とするように制御する制御部９を設けて成ることを特徴とするものである。
【００１０】
このような構成とすることで、宅配物の配達人が空の宅配ボックス１内に宅配物を入れて一連の宅配物の配達操作が完了した後は、表示部７に宅配物が当該宅配ボックス１に着荷していることを表示するための着荷表示がなされていることで、該当する宅配ボックス１への着荷報知が確実にできるものであるが、部屋番号入力手段４により該当する宅配ボックス１の配達時に入力された部屋番号と一致する部屋番号が入力されない限り表示部７には宅配ボックス１の使用中表示がなされるのみで配達先がどの部屋番号であるかの表示がなされず、他人に配達先の部屋番号が判らないようにできるものであり、また、宅配物の取り出しに当たっては、表示部７に宅配ボックス１の使用中表示がなされている状態で、部屋番号入力手段４により該当する宅配ボックス１の配達時に入力された部屋番号と一致する部屋番号を入力することで表示部７に宅配物の配達先の部屋番号表示が表示されるので、部屋番号を確認して暗証番号入力手段５により該当する部屋番号の利用者を特定する暗証番号を入力して施錠手段３を解錠して宅配物を受け取ることができるものであり、これにより配達先の部屋番号の住人が受け取り操作を行うまでは他人に配達先の部屋番号が判らずセキュリティー性を向上させ、配達先の部屋番号の住人が受け取り操作を行う際には表示部７で部屋番号を確認して暗証番号を入力することで該当する配達先の住人のみが間違いなく宅配物を取り出すことができるものである。
【００１１】
また、宅配ボックス１を設置した集合住宅の共同玄関をオートロックドア１０とし、部屋番号に対応した個人認識確定情報を入力した際にオートロックドア１０を解錠するように設定し、オートロックドア１０の解錠のために入力された個人認識確定情報を宅配ボックス１に送信するための送信部１１を設け、送信部１１から送信された個人認識確定情報を受信する受信部１２を宅配ボックス１に設け、受信部１２で個人認識確定情報を受信した際に、該個人認識確定情報で特定される部屋番号と宅配ボックス１の配達時に入力された部屋番号とが一致すると表示部７における表示を着荷表示から該当する宅配物の配達先の部屋番号表示に切り換えて表示するように制御する制御部９を設けることが好ましい。
【００１２】
すなわち、共同住宅の共同玄関のオートロックドア１０を開いて共同玄関から玄関ホール内に入る際、部屋番号に対応した個人認識確定情報を入力してオートロックドア１０を開いて玄関ホール内に入るのであるが、このオートロックドア１０の解錠のために入力された個人認識確定情報を送信部１１から宅配ボックス１に設けた受信部１２に送信し、受信部１２で個人認識確定情報を受信すると、該個人認識確定情報で特定される部屋番号と宅配ボックス１の配達時に入力された部屋番号とが一致する場合には表示部７における表示が着荷表示から該当する宅配物の配達先の部屋番号表示に切り換えて表示されることになり、したがって、宅配ボックス１内に着荷している配達先の部屋番号住人がオートロックドア１０を開いて玄関ホールに入ると、該当する宅配ボックス１の表示部７における表示が宅配ボックス１の使用中表示から配達先の部屋番号表示に切り替わるので、自分の部屋番号が表示されている宅配ボックス１を直ぐに見つけることができて、暗証番号を入力することで宅配物を受け取ることができるものである。
【００１３】
【発明の実施の形態】
以下、本発明を添付図面に示す実施形態に基づいて説明する。
【００１４】
マンションのような集合住宅の玄関ホールに当該集合住宅の各部屋（各住戸）が共同で利用する図３に示すような複数の宅配ボックス１が設置してある。各宅配ボックス１には開閉自在に扉２が設けてあり、更に、この扉２を施錠する施錠手段３と、宅配ボックス１を利用する個々の利用者の部屋番号を入力する部屋番号入力手段４と、宅配ボックス１を利用する個々の利用者を特定するための暗証番号を入力するための暗証番号入力手段５とが設けてある。ここで、各宅配ボックス１にはそれぞれ図３に示すように操作パネル１３が設けてある。この操作パネル１３には図４に示すように、１〜９、０の数字のキーを備えた操作キー１４が設けてあり、この操作キー１４を操作して部屋番号や暗証番号を入力するようになっており、したがって、操作キー１４が部屋番号入力手段４と、暗証番号入力手段５を構成している。また、操作パネル１３には「配達」と標記された配達釦１５と、「受取」と標記された受取釦１６とが設けてあり、更に操作パネル１３には宅配物の配達先の部屋番号が表示される表示部７が設けてある。
【００１５】
また、図３に示すように、複数の宅配ボックス１に対して１つの捺印装置６が設けてあり、添付図面に示す実施形態では宅配ボックス１に並設したコントロールボックス１７に捺印装置６が設けてある。コントロールボックス１７内には制御部９が設けてあり、図２のブロック図に示すように、制御部９は部屋番号入力手段４や暗証番号入力手段５からの入力情報に基づいて表示部７の表示の制御、施錠手段３の解錠制御等を行っている。
【００１６】
宅配ボックス１は施錠手段３が非施錠となった空の状態では表示部７には何も表示されない状態、又は、該当する宅配ボックス１が空であるという表示がなされるように制御部９により制御してある。したがって、宅配物の配達者は複数の宅配ボックス１の中から空の宅配ボックス１が容易に判るようになっている。
【００１７】
図１には本発明における宅配物の着荷から宅配物の受け取りまでのフローチャートが示してある。以下、図１に示すフローチャートに基づいて宅配物の着荷から宅配物の受け取りの動作につき説明する。
【００１８】
本発明における宅配ボックス１への宅配物の配達操作は前述の従来例で述べた操作と同様の操作で行うようになっている。
【００１９】
すなわち、宅配物の配達者はまず図７（ａ）のように、空の宅配ボックス１に宅配物を入れ、配達釦１５を押し、操作キー１４を操作して配達先の部屋番号を入力し、次に、図７（ｂ）のように施錠手段３である施錠セット釦をスライド操作して扉２を閉じることで施錠し、次に、図７（ｃ）のように捺印装置６に伝票を入れて捺印を行うことで、宅配ボックス１への一連の宅配物の配達操作を完了する。このようにして宅配ボックス１への一連の宅配物の配達操作が完了した後、配達者は配達先の郵便受けに図７（ｄ）のような不在配達票１９を投入する。
【００２０】
そして、上記一連の宅配物の配達操作において、図７（ａ）の段階で配達者が配達先の部屋番号を入力すると操作パネル１３に設けた表示部７に配達先の部屋番号が表示され、また、捺印装置６に設けた捺印用確認表示部１８にも部屋番号が表示される。これにより、配達者は操作パネル１３で入力した配達先の部屋番号が間違っていないかどうかの確認ができ、また、捺印装置６で伝票に捺印する際に配達先の部屋番号を再確認して捺印をすることができる。
【００２１】
上記のような宅配物の配達先の部屋番号を部屋番号入力手段４により入力し且つ施錠手段３を施錠し且つ捺印装置６で捺印するという一連の宅配物の配達操作が完了すると表示部７には宅配物が当該宅配ボックス１に着荷していることのみを表示するための着荷表示がなされるように制御部９により制御される。また、制御部９により捺印用確認表示部１８に表示された部屋番号が消えるように制御される。
【００２２】
表示部７における着荷表示としては例えば図４のように着荷している該当する宅配ボックス１のボックス番号を表示部７において表示したり（図４では表示部７にボックス番号の例として７が表示してある）、あるいは「着荷」等の表示をしたりするものである。
【００２３】
一方、宅配ボックス１から宅配物を取り出して宅配物を受け取る場合には、住人は自分の部屋番号に対応した郵便受けに投入された不在配達票１９により宅配ボックス１に当該住人宛の宅配物が届いていることを知るので、複数の宅配ボックス１のうち表示部７に着荷表示がなされている宅配ボックス１を探し、該当する宅配ボックス１の操作パネル１３の受取釦１６を押し、部屋番号入力手段４である操作キー１４を操作して自分の部屋番号を入力する。部屋番号入力手段４により該当する宅配ボックス１の配達時に入力された部屋番号と一致する部屋番号が入力された場合には、表示部７における表示を着荷表示から該当する宅配物の配達先の部屋番号表示に切り換えて表示されるように制御部９により制御される。この場合、「ピー」等の正常音を鳴らして入力された部屋番号と配達先部屋番号とが一致していることを音でも同時に報知するようにするとよい。
【００２４】
上記のように配達先部屋番号と一致する部屋番号とが入力されることで配達先部屋番号が表示部７に表示されるので、この表示部７に表示された部屋番号を見ることで当該宅配ボックス１に該当する自分（つまり該当する部屋番号）宛てに宅配物が着荷しているのを確認することができる。
【００２５】
このようにして自分宛に宅配物が着荷しているのが当該宅配ボックス１であることを部屋番号の表示で確認した状態で、暗証番号入力手段５である操作キー１４を操作してあらかじめ宅配ボックス１を利用する個々の利用者を特定するための暗証番号（例えば個々の部屋番号に対応して個々の部屋の利用者を特定するためにあらかじめ暗証番号が設定してある）を入力し、このように暗証番号入力手段５により該当する部屋番号の利用者を特定する暗証番号が入力され、この暗証番号が正しい暗証番号であると制御部９により施錠手段３を解錠するように制御するものであり、このように解錠状態となることで、扉２を開けて該当する宅配ボックス１内に着荷している宅配物を受け取るのである。上記のように暗証番号を入力して施錠手段３が解錠すると当該宅配ボックス１の表示部７における部屋番号の表示が消えるように制御部９により制御される。
【００２６】
また、正しい暗証番号が入力されない場合には「ピピピピピ」等の異常音を発音装置で発生させるように制御部９により制御する。したがって、正しい暗証番号を入力しなかった場合には再び暗証番号入力手段５である操作キー１４を操作して暗証番号の入力をやり直すものである。
【００２７】
一方、前述の宅配物の受け取り操作において着荷表示されている宅配ボックス１の操作パネル１３の受取釦１６を押し、部屋番号入力手段４である操作キー１４を操作して部屋番号を入力した際に配達先部屋番号と入力された部屋番号とが一致しない場合には制御部９により発音装置を制御して「ピピピピピ」等の異常音を鳴らし配達先が異なることを報知する。この場合、当該宅配ボックス１の表示部７は着荷表示のままで部屋番号表示に切り替わることはない。したがって、表示部７において着荷表示している別の宅配ボックス１を探し、別の宅配ボックス１において上記と同様の操作を行って宅配物の受け取り操作を行うものである。
【００２８】
次に、図５、図６に基づいて本発明の他の実施形態につき説明する。図５には本実施形態のフローチャートが示してあり、図６には本実施形態の制御ブロック図が示してある。本実施形態においては、宅配ボックス１を設置した集合住宅の共同玄関がオートロックドア１０となっており、このオートロックドア１０には暗証番号や指紋照合などの個人認識確定情報を入力するための個人認識確定情報入力部２０が設けてあり、外出先から帰った住人は部屋番号に対応した個人認識確定情報を個人認識確定情報入力部２０に入力し、該入力された個人認識確定情報があらかじめ登録してある個人認識確定情報と一致している際にオートロックドア１０を解錠するように設定してある。
【００２９】
オートロックドア１０には送信部１１が設けてあり、上記解錠のために入力された個人認識確定情報を宅配ボックス１に送信するようになっている。
【００３０】
宅配ボックス１の基本構成は前述の実施形態で述べた通りの構成であるが、コントロールボックス１７には上記送信部１１から送信された個人認識確定情報を受信する受信部１２が設けてある。受信部１２で個人認識確定情報を受信すると、該個人認識確定情報で特定される部屋番号と宅配ボックス１の配達時に入力された部屋番号と一致するものがある場合には、該当する宅配ボックス１の表示部７における表示を着荷表示から該当する宅配物の配達先の部屋番号表示に切り換えて表示するように制御部９により制御するようになっている。このように、個人認識確定情報を個人認識確定情報入力部２０で入力してオートロックドア１０を解錠した際に、当該住人宛（当該住人の部屋番号宛て）の宅配物が着荷している場合には自動的に該当する宅配ボックス１の表示部７の表示を着荷表示から配達先の部屋番号表示に切り替わるので、外出から帰った住人は複数の宅配ボックス１のなかから自分の部屋番号の表示がなされている宅配ボックス１を直ぐに確認でき、暗証番号入力手段５である操作キー１４を操作してあらかじめ宅配ボックス１を利用する個々の利用者を特定するための暗証番号を入力し、この入力した暗証番号が正しい暗証番号であると制御部９により施錠手段３を解錠するように制御するものであり、このように解錠状態となることで、扉２を開けて該当する宅配ボックス１内に着荷している宅配物を受け取るのである。暗証番号を入力して施錠手段３が解錠すると当該宅配ボックス１の表示部７における部屋番号の表示が消えるように制御部９により制御される。
【００３１】
このように、本実施形態においては、宅配ボックス１内に着荷している配達先の部屋番号住人がオートロックドア１０を開いて共同玄関から玄関ホールに入ると、該当する宅配ボックス１の表示部７における表示が宅配ボックス１の使用中表示から配達先の部屋番号表示に切り替わるので、自分の部屋番号が表示されている宅配ボックス１を直ぐに見つけることができて、暗証番号を入力することで宅配物を受け取ることができるものである。
【００３２】
ここで、該当する配達先の部屋番号でない住人がオートロックドア１０を開いて共同玄関に入った場合には、宅配物が入っている宅配ボックス１の表示部７には着荷表示がなされているのみで部屋番号は表示されず、配達先が表示されないことでセキュリティー性を向上させることができるものである。
【００３３】
また、本実施形態においても住人が外出していない時に自分宛の宅配物を受け取る場合には前述の実施形態と同様に行うものであり、この場合には前述の実施形態と同様にして当該部屋番号に対応した郵便受けに投入された不在配達票１９により宅配ボックス１に当該住人宛の宅配物が届いていることを知り、複数の宅配ボックス１のうち表示部７に着荷表示がなされている宅配ボックス１を探し、部屋番号入力手段４により自分の部屋番号を入力し、部屋番号入力手段４により該当する宅配ボックス１の配達時に入力された部屋番号と一致する部屋番号が入力された場合には、表示部７における表示を着荷表示から該当する宅配物の配達先の部屋番号表示に切り換えて表示されるので、次に、前述の実施例と同様に暗証番号を入力して施錠手段３が解錠して宅配物を受け取るものである。
【００３４】
【発明の効果】
上記のように本発明の請求項１記載の発明にあっては、表示部に着荷表示がなされている状態で、部屋番号入力手段により該当する宅配ボックスの配達時に入力された部屋番号と一致する部屋番号が入力された場合に表示部における表示を着荷表示から該当する宅配物の配達先の部屋番号表示に切り換えて表示すると共に、表示部が部屋番号に切り換え表示された状態で、暗証番号入力手段により該当する部屋番号の利用者を特定する暗証番号が入力された時に施錠手段を開とするように制御する制御部を設けてあるので、宅配物の配達人が空の宅配ボックス内に宅配物を入れて一連の宅配物の配達操作が完了した後から配達先の部屋番号の住人が宅配物を受け取る操作をするために該当する部屋番号を入力するまでの間、該当する宅配ボックスへの着荷表示はなされるが配達先の部屋番号は表示されず、セキュリティー性を向上させることができるものであり、また、宅配物の取り出しに当たっては、表示部に着荷表示がなされている状態で、部屋番号入力手段により該当する宅配ボックスの配達時に入力された部屋番号と一致する部屋番号を入力することで表示部に宅配物の配達先の部屋番号表示を表示して、部屋番号を確認して自分への配達であることが間違いないことを確認し、このように自分への配達であることが間違いないことを確認した後に、該当する部屋番号の利用者を特定する暗証番号を入力して施錠手段を開いて宅配物を受け取ることができるものであり、これにより配達先の部屋番号の住人が受け取り操作を行うまでは他人に配達先の部屋番号が判らずセキュリティー性を向上させ、配達先の部屋番号の住人が受け取り操作を行う際には表示部で部屋番号を確認して暗証番号を入力することで該当する配達先の住人のみが間違いなく宅配物を取り出すことができるものである。
【００３５】
また、請求項２記載の発明にあっては、上記請求項１記載の発明の効果に加えて、宅配ボックスを設置した集合住宅の共同玄関をオートロックドアとし、部屋番号に対応した個人認識確定情報を入力した際にオートロックドアを解錠するように設定し、オートロックドアの解錠のために入力された個人認識確定情報を宅配ボックスに送信するための送信部を設け、送信部から送信された個人認識確定情報を受信する受信部を宅配ボックスに設け、受信部で個人認識確定情報を受信した際に、該個人認識確定情報で特定される部屋番号と宅配ボックスの配達時に入力された部屋番号とが一致すると表示部における表示を着荷表示から該当する宅配物の配達先の部屋番号表示に切り換えて表示するように制御する制御部を設けてあるので、宅配ボックス内に着荷している配達先の部屋番号住人がオートロックドアを開いて共同玄関に入ると、該当する宅配ボックスの表示部における表示が着荷表示から配達先の部屋番号表示に切り替わり、自分の部屋番号が表示されている宅配ボックスを直ぐに見つけることができて、暗証番号を入力することで簡単に宅配物を受けるとことができ、これにより、オートロックドアを開いて入ったきた住人は、複数の宅配ボックスのなかから簡単に自分宛ての宅配物が入っている宅配ボックスを見つけだして宅配物を受け取ることができるものであり、しかも、該当する配達先の部屋番号でない住人がオートロックドアを開いて共同玄関に入った場合には、宅配物が入っている宅配ボックスの表示部には着荷表示がなされているのみで部屋番号は表示されず、配達先が表示されないことでセキュリティー性を向上させることができるものである。
【図面の簡単な説明】
【図１】本発明の一実施形態のフローチャートである。
【図２】同上の制御ブロック図である。
【図３】同上の宅配ボックスの斜視図である。
【図４】同上の表示部に着荷表示がなされている例を示す説明図である。
【図５】本発明の他の実施形態のフローチャートである。
【図６】同上の制御ブロック図である。
【図７】（ａ）（ｂ）（ｃ）（ｄ）は同上の配達方法を示す説明図である。
【図８】（ａ）（ｂ）は従来例における受け取る順序を示す説明図である。
【符号の説明】
１　宅配ボックス
２　扉
３　施錠手段
４　部屋番号入力手段
５　暗証番号入力手段
６　捺印装置
７　表示部
９　制御部
１０　オートロックドア
１１　送信部
１２　受信部
【図１】
2004057404.tif 000003
【図２】
2004057404.tif 000004
【図３】
2004057404.tif 000005
【図４】
2004057404.tif 000006
【図５】
2004057404.tif 000007
【図６】
2004057404.tif 000008
【図７】
2004057404.tif 000009
【図８】
2004057404.tif 000010